(57)【要約】【課題】    従来の間接照明を行う照明付き鏡は、鏡の横幅を狭くすればするほど、鏡を使用している人の目に、隣接する鏡の間接照明の光が入りやすくなり眩しく感じるという課題があった。【解決手段】  壁面と鏡部との間にあり照明ランプを配置された基台の左右側面の壁面側を遮光部材で覆い、その左右側面の鏡側を前記照明ランプからの光を透光する透光部とすることにより、鏡を使用している人が隣接する鏡の間接照明を眩しいと感じることなく快適に使用することができるようにした。【選択図】  図１
2006278179.tif 000002
【特許請求の範囲】
【請求項１】
壁面と平行に設置される鏡部と
その壁面とその鏡部の間にはその鏡部を保持する基台と
その基台内に配置される照明手段とからなる照明付き鏡において、
前記照明手段は前記基台の左右側面に沿って配置された一対の直管型の照明ランプを有し、
前記基台の左右側面の壁面側が遮光部材で覆われており、その左右側面の鏡側を前記照明ランプからの光を透光する透光部としたことを特徴とする照明付き鏡。
【請求項２】
前記透光部の一部又は全部を、前記遮光部材の透光率より高い透光部材で覆ったことを特徴とする請求項１に記載の照明付き鏡。
【請求項３】
前記遮光部材乃至は前記透光部材からなる前記基台の左右側面部材が、丁番で固定され開閉可能であることを特徴とする請求項１又は２に記載の照明付き鏡。
【発明の詳細な説明】
【技術分野】
【０００１】
本発明は、主として連立して設置される間接照明の機能を持った照明付き鏡に関する発明である。 
【背景技術】
【０００２】
従来のこの種の照明付き鏡は、基台１と鏡部２と照明手段３からなる。鏡部２は基台１の手前に金具や木ネジなどで固定されており、壁面より約１５ｃｍ前に出ているため、下に洗面器などがあっても鏡に顔を容易に近づけて見ることができる。照明手段３は左右２本の直管型の照明ランプ３１ａ、３１ｂを持ち、基台１は壁面固定部１０と、照明ランプ３１ａ、３１ｂの間にある仕切板１３ａ、１３ｂ、を持つ。
基台１の左右側面からは照明ランプ３１ａ、３１ｂの光が投光され、鏡部の裏側より左右の壁面などを照らす間接照明となる。以上のように、鏡の左右壁面を間接照明する場合には、鏡部と壁面の間にある左右２箇所の照明ランプはむき出しになり、露出した照明ランプを割られたり、高温部に触れられたりする危険性もあった。（例えば、特許文献１参照。）。 
【０００３】
図６は左右および下方の壁面を間接照明するイメージを示したものである。
鏡部の側方壁面を照らすことは、鏡使用者に適度な照明を供給するのみでなく、鏡のフローティング感を増すことでデザイン性を向上させる狙いがある。
【０００４】
図５は隣接して連立設置された様子を示した図である。
近年、空間効率アップのためパブリックトイレの限られた洗面空間により多くの洗面器を連立設置することが多くなってきており、その上部に設置する鏡も横幅の狭いものが求められている。そのため、鏡の横幅に合わせて、基台や照明ランプの間隔も狭くしたいが、強度や内部部品の収納の関係で限界があり、照明ランプが鏡の左右端に近くなってしまう。そうすると、鏡を使用している人の目に、隣接する鏡の間接照明の光が入るようになり眩しくなるという問題があった。
【特許文献１】実開平２−１１２１９３号公報（第４−７頁、第１図）
【発明の開示】
【発明が解決しようとする課題】
【０００５】
本発明は、上記問題を解決するためになされたもので、本発明の課題は、照明付き鏡において、隣接する照明付き鏡の間接照明の光が、鏡を使用している人の目に入り、眩しくなることがないようにするともに、照明ランプを保護することである。
【課題を解決するための手段】
【０００６】
上記目的を達成するために請求項１記載の発明によれば、基台の左右側面の壁面側が遮光部材で覆われており、その左右側面の鏡側を前記照明ランプからの光を透光する透光部としたことにより、鏡を使用している人の目に隣接する照明付き鏡の間接照明の光により眩しくなることがないようにすることを可能とした。
【０００７】
また、請求項２記載の発明のように透光部の一部又は全部を、前記遮光部材の透光率より高い透光部材で覆ったことにより、請求項１記載の発明の効果に加えて、露出した照明ランプを割られたり、高温部に触れられたりすることを防ぐことができる。さらに、透光部材に半透明またはブラスト処理の部材を使用すれば、照度を調整し、間接照明する光を拡散させて光のムラを抑えることができるとともに、内部の機能部を見え難くし美観を向上させることを可能とした。
【０００８】
さらに、請求項３記載の発明のようにすれば、遮光部材乃至は透光部材からなる基台の左右側面部材が、丁番で固定され開閉可能とすることにより、寿命などで照明ランプ交換を交換するときに側面部材を取外す手間をなくすことを可能とした。
【発明の効果】
【０００９】
本発明によれば、照明付き鏡において、比較的幅の狭い鏡を連立設置しても、隣接する照明付き鏡の間接照明の光が、鏡を使用している人の目に入り眩しくなることがないようにするという効果がある。
【発明を実施するための最良の形態】
【００１０】
図１、図２は、本発明に係わる照明付き鏡の１実施例をあらわしたものである。なお、図１、図３、図４、図７は端子台のある位置で水平面にて切断した断面図となっている。また、説明のため、図１、図３は扉の開動作を破線で示しており、図２は鏡部２を透視した図となっている。
照明付き鏡は、基台１と鏡部２と照明手段３からなる。鏡部２は取付金具やネジ止めなどにより基台１に連結されている。
【００１１】
基台１は、壁面固定部１０と仕切板１３ａ、１３ｂと天板１２を持ち、壁面固定部１０の４隅の穴を使い壁にネジ止めすることにより、基台１を壁面に固定する。鏡部２は壁面に平行に配置される。
仕切板１３ａ、１３ｂは壁面に対して垂直に壁面固定部１０に固定され、仕切板１３ａ、１３ｂの上端には天板１２が固定されている。天板１２は、基台の上部を覆い、水滴などが照明手段３などの電装部にかかるのを抑えている。仕切板１３ａ、１３ｂ間には間板１４があり、仕切板の強度を強化している。また、仕切板１３ａ、１３ｂには、軽量化のための穴など設けても良く、鏡部２を連結するための強度が確保されていれば良い。
以上のうち、壁面固定部１０、天板１２、仕切板１３ａ、１３ｂ、間板１４や、鏡部２の裏面部材には、木板や木製合板などを用いる。
【００１２】
照明手段３は、照明ランプ３１ａ、３１ｂ、端子台３３、電線３５ａ、３５ｂからなる。照明ランプ３１ａ、３１ｂは、仕切板１３ａ、１３ｂの両側に左右対称にほぼ鉛直縦向きにあり、壁面固定部１０に固定されている。照明ランプ３１ａ、３１ｂにはいずれも直管型３０Ｗの蛍光灯が使われている。端子台３３は、仕切板１３ａ、１３ｂの間に配置されている。端子台３３の端子は２極で、１入力２出力となっており、出力端子に並列接続された照明ランプ３１ａ、３１ｂの電線３５ａ、３５ｂを通して照明ランプ３１ａ、３１ｂに給電される。端子台３３の下方にはΦ３０の電源線引込穴１５が壁面固定部１０に開けられている。
【００１３】
基台１の側面の照明ランプ３１ａ、３１ｂより外側には、遮光部材４１ａ、４１ｂがあり、各々スライド丁番４５ａ、４６ａ、４５ｂ、４６ｂにより壁面固定部１０に連結されている。また、遮光部材４１ａ、４１ｂには、各々透光部材４２ａ、４２ｂがネジなどにより固定されている。遮光部材４１ａ、４１ｂには、木板又は木製合板や透光率２０％以下の遮光性アクリルなどを用い、透光部材４２ａ、４２ｂには、透光率２０％以上の乳白色やブラスト処理の透光性アクリルなどを用いる。また、遮光部材と透光部材は別部材ではなく、別材料の一体成形などで製作したものでもよい。
また、図３に示すように、透光部を透光部材で覆わなくても良い。
【００１４】
このように、透光部の一部又は全部を、透光部材で覆ったことにより、この透光部材を半透明としたり光拡散処理としたりすることで、照度を調整したり間接照明の光のムラを抑えることができるとともに、内部の機能部を見え難くし美観を向上させている。さらに、人の手が入るような間隙を設けないことで、容易に照明ランプの高温部に触られたり、照明ランプを破損させたりすることがなくなる。
【００１５】
また、遮光部材４１ａ、４１ｂおよび透光部材４２ａ、４２ｂからなる基台１の左右側面部材が、スライド丁番４５ａ、４６ａ、４５ｂ１、４６ｂで連結され開閉可能となっているため、寿命などで照明ランプ交換を交換するときに側面部材を取り外す手間をなくすことを可能としている。
【００１６】
遮光部材４１ａ、４１ｂの前側端面には、壁面に対して約４５°の傾斜が付けられている。これにより、投光部からの光をより基台近くまで照射することができる。
また、鏡部２の左右端面には壁面に対して約６０°の傾斜がつけられている。これにより、鏡部の厚みを実際よりも薄く感じさせることができる。
【００１７】
施工時には、鏡部２を基台１から一旦取り外した状態で、壁面固定部１０の４箇所を木ねじで壁面に止めることで、まず基台１を壁に固定する。そのとき、電源線引込穴１５にはＡＣ１００Ｖの屋内電源線（ＶＣＣケーブル等）を引き込んでおき、端子台３３に接続する。そのあと、鏡部２を基台１に連結金具や木ネジなどで固定する。屋内電源線にＡＣ１００Ｖを供給すると照明ランプ３１ａ、３１ｂが点灯する。
【００１８】
照明ランプ３１ａ、３１ｂが発する光は、表面を白色に化粧された壁面固定部１０や仕切板１３ａ、１３ｂや鏡部２の裏面などで反射されながら左右外側に達し、側方壁面をほのかに照らす間接照明となる。
【００１９】
図４は遮光性部材の幅を設定する方法を示した図である。実機を使って、鏡を壁面に対して垂直方向から見ている人に、隣接する鏡の間接照明の光源がどの角度から目に入ると眩しく感じるかアンケートした結果、３０°以上あれば眩しく感じないことを確認した。よって、さらに１０°余裕を持たせた４０°で見える位置までを遮光性部材で覆うようにしている。これにより、鏡を使用している人が隣接する鏡の間接照明を眩しいと感じることなく快適に使用することができる。
【００２０】
間接光の光量を増やしたい場合には、壁面固定部１０や仕切板１３ａ、１３ｂや前板２２をより光を反射しやすい鏡面処理などにしてもよく、また、図３のように透光部材４２ａ、４２ｂをなくし、極めて透明に近いものに変えても良い。
【００２１】
また、遮光部材４１ａ、４１ｂの連結にスライド丁番４５ａ、４６ａ、４５ｂ、４６ｂを使わず、木ネジなどで固定してもよい。その場合は照明ランプ交換のため、図３のように照明ランプを出し入れできる大きさの空隙を設けるか、もしくは遮光部材の取り外しを容易にしておく必要がある。
【００２２】
また、天板１２や仕切板１３ａ、１３ｂや照明手段３などは、壁面固定部１０ではなく鏡部２の裏面に固定されているような形態でもよい。また、仕切板１３ａ、１３ｂが、壁面固定部１０と鏡部２の裏面のいずれにもあらかじめ固定されており、壁面固定部１０の連結金具にて壁面に固定するような形態でも良い。この場合、屋内電源線の接続は、端子台３３は使わず、壁に埋め込んだアウトレットボックス内などで行うこととなる。
【図面の簡単な説明】
【００２３】
【図１】本発明の一実施例を示す断面図である。
【図２】本発明の一実施例を示す正面図である。
【図３】本発明の別の実施例を示す断面図である。
【図４】本発明の遮光部材の寸法設定方法を示す図である。
【図５】本発明の連立設置の様子を示す図である。
【図６】洗面空間の間接照明イメージを示す図である。
【図７】従来の照明付き鏡を示す断面図である。
【符号の説明】
【００２４】
１…基台
２…鏡部
３…照明手段
１０…壁面固定部
１２…天板
１３ａ、１３ｂ…仕切板
１４…間板
１５…電源線引込口
３１ａ、３１ｂ…照明ランプ
３３…端子台
３５ａ、３５ｂ…電線
４１ａ、４１ｂ…遮光部材
４２ａ、４２ｂ…透光部材
４５ａ、４６ａ、４５ｂ、４６ｂ…スライド丁番
【図１】
2006278179.tif 000003
【図２】
2006278179.tif 000004
【図３】
2006278179.tif 000005
【図４】
2006278179.tif 000006
【図５】
2006278179.tif 000007
【図６】
2006278179.tif 000008
【図７】
2006278179.tif 000009